(57)【特許請求の範囲】
【請求項１】
第１モードおよび第２モードを含む複数モードの間でモード切り替えを行うモード切替手段、
前記第１モードおよび前記第２モードの各々で他の携帯端末との接続を確立する確立手段、
前記第１モードで前記確立手段によって確立された接続を通じて動画像を受信する第１受信手段、
前記第１モードで前記第１受信手段によって受信された動画像を表示する表示手段、
前記第１モードで静止画記録操作を受け付けたとき静止画撮影を前記確立手段によって確立された接続を通じて依頼する第１依頼手段、
前記第１モードで前記第１依頼手段の依頼に応じて作成された静止画像を前記確立手段によって確立された接続を通じて受信する第２受信手段、
前記第２モードで動画撮影を実行する動画撮影手段、
前記第２モードで前記動画撮影手段によって作成された動画像を前記確立手段によって確立された接続を通じて送信する第１送信手段、
前記第２モードで前記確立手段によって確立された接続を通じて静止画撮影依頼を受けたとき静止画撮影を実行する静止画撮影手段、
前記第２モードで前記静止画撮影手段によって作成された静止画像を前記確立手段によって確立された接続を通じて送信する第２送信手段、および
前記第１モードで静止画記録操作の受け付けを許容する一方、前記第２モードで前記静止画記録操作の受け付けを禁止する受付制御手段、
を備える、携帯端末。
【請求項２】
前記第１モードでズーム操作を受け付けたときズーム倍率変更を前記確立手段によって確立された接続を通じて依頼する第２依頼手段、および前記第２モードで前記確立手段によって確立された接続を通じてズーム倍率依頼を受けたとき前記動画撮影手段および前記静止画撮影手段の各々のズーム倍率を変更する第１変更手段をさらに備える、請求項１記載の携帯端末。
【請求項３】
前記第１モードで撮影パラメータ変更操作を受け付けたとき撮影パラメータ変更を前記確立手段によって確立された接続を通じて依頼する第３依頼手段、および前記第２モードで前記確立手段によって確立された接続を通じて撮影パラメータ変更依頼を受けたとき前記静止画撮影手段の撮影パラメータの値を変更する第２変更手段をさらに備える、請求項１または２記載の携帯端末。
【請求項４】
前記第１モードで終了操作を受け付けたとき撮影パラメータ復元を前記確立手段によって確立された接続を通じて依頼する第４依頼手段、
前記第２モードで前記第２変更手段の変更処理に先行して前記第２変更手段によって変更されるべき撮影パラメータの値を退避させる退避手段、および  前記第２モードで前記確立手段によって確立された接続を通じて撮影パラメータ復元依頼を受けたとき前記第２変更手段によって変更された撮影パラメータの値を前記退避手段によって退避された値に復元する復元手段をさらに備える、請求項３記載の携帯端末。
【請求項５】
前記撮影パラメータは画像サイズを含む、請求項３または４記載の携帯端末。
【請求項６】
前記撮影パラメータはフラッシュのオン／オフを含む、請求項３ないし５のいずれかに記載の携帯端末。
【請求項７】
前記第１モードで前記第１受信手段によって受信された動画像の動きを検出する検出手段、
前記第１モードで前記検出手段の検出結果に基づいて撮影パラメータ制御を前記確立手段によって確立された接続を通じて依頼する第５依頼手段、および  前記第２モードで前記確立手段によって確立された接続を通じて撮影パラメータ制御依頼を受けたとき前記動画撮影手段の撮影パラメータを制御する制御手段をさらに備える、請求項１ないし６のいずれかに記載の携帯端末。
【請求項８】
前記第５依頼手段は前記検出手段の検出結果が第１閾値を下回ったときフレームレートを減少させるように依頼し、前記制御手段はフレームレート減少依頼を受けたとき前記動画撮影手段の撮影パラメータの１つであるフレームレートを減少させる、請求項７記載の携帯端末。
【請求項９】
前記第５依頼手段は前記検出手段の検出結果が前記第１閾値よりも大きい第２閾値を上回ったとき画像サイズを縮小させるように依頼し、前記制御手段は画像サイズ縮小依頼を受けたとき前記動画撮影手段の撮影パラメータの１つである画像サイズを縮小させる、請求項８記載の携帯端末。
【請求項１０】
携帯端末のプロセサに、
第１モードおよび第２モードを含む複数モードの間でモード切り替えを行うモード切替ステップ、
前記第１モードおよび前記第２モードの各々で他の携帯端末との接続を確立する確立ステップ、
前記第１モードで前記確立ステップによって確立された接続を通じて動画像を受信する第１受信ステップ、
前記第１モードで前記第１受信ステップによって受信された動画像を表示する表示ステップ、
前記第１モードで静止画記録操作を受け付けたとき静止画撮影を前記確立ステップによって確立された接続を通じて依頼する第１依頼ステップ、
前記第１モードで前記第１依頼ステップの依頼に応じて作成された静止画像を前記確立ステップによって確立された接続を通じて受信する第２受信ステップ、
前記第２モードで動画撮影を実行する動画撮影ステップ、
前記第２モードで前記動画撮影ステップによって作成された動画像を前記確立ステップによって確立された接続を通じて送信する第１送信ステップ、
前記第２モードで前記確立ステップによって確立された接続を通じて静止画撮影依頼を受けたとき静止画撮影を実行する静止画撮影ステップ、
前記第２モードで前記静止画撮影ステップによって作成された静止画像を前記確立ステップによって確立された接続を通じて送信する第２送信ステップを実行させるための、制御プログラムであって、
前記第１モードで静止画記録操作の受け付けを許容する一方、前記第２モードで前記静止画記録操作の受け付けを禁止する制御プログラム。
【請求項１１】
携帯端末の制御方法であって、
第１モードおよび第２モードを含む複数モードの間でモード切り替えを行うモード切替ステップ、
前記第１モードおよび前記第２モードの各々で他の携帯端末との接続を確立する確立ステップ、
前記第１モードで前記確立ステップによって確立された接続を通じて動画像を受信する第１受信ステップ、
前記第１モードで前記第１受信ステップによって受信された動画像を表示する表示ステップ、
前記第１モードで静止画記録操作を受け付けたとき静止画撮影を前記確立ステップによって確立された接続を通じて依頼する第１依頼ステップ、
前記第１モードで前記第１依頼ステップの依頼に応じて作成された静止画像を前記確立ステップによって確立された接続を通じて受信する第２受信ステップ、
前記第２モードで動画撮影を実行する動画撮影ステップ、
前記第２モードで前記動画撮影ステップによって作成された動画像を前記確立ステップによって確立された接続を通じて送信する第１送信ステップ、
前記第２モードで前記確立ステップによって確立された接続を通じて静止画撮影依頼を受けたとき静止画撮影を実行する静止画撮影ステップ、および  前記第２モードで前記静止画撮影ステップによって作成された静止画像を前記確立ステップによって確立された接続を通じて送信する第２送信ステップを備え、
前記第１モードで静止画記録操作の受け付けを許容する一方、前記第２モードで前記静止画記録操作の受け付けを禁止する、制御方法。
【発明の詳細な説明】
【技術分野】
【０００１】
この発明は、携帯端末に関し、特にたとえば、撮影機能を有する、携帯端末に関する。
【背景技術】
【０００２】
一般的な背景技術では、ユーザは、携帯端末で自分自身を含む被写界を撮影（いわゆる“自分撮り”）したいとき、自分の携帯端末を他人に渡して撮影を依頼する。しかしこの場合、構図の決定やシャッタ操作のタイミングは他人任せなので、意図した通りに自分撮りを行うのは容易でない。また、撮影以外の機能、たとえば電話機能や電話番号等の個人情報を登録する機能なども有する携帯端末を他人に渡すことで、勝手な操作によるプライバシーの侵害も危惧される。
【０００３】
そこで、携帯端末をリモート操作することが考えられる。リモート操作可能な携帯端末の一例が、特許文献１に開示されている。この背景技術では、カメラ付き携帯電話機が別のカメラ付き携帯電話機からの赤外線リモコン信号に応じて撮影を行う。また、他の一例が特許文献２に開示されている。この背景技術では、電子カメラがＰＣによって電話回線を通じて制御される。
【先行技術文献】
【特許文献】
【０００４】
【特許文献１】特開２００６−１５４６６０号公報［G03B  17/56,  17/02,  17/04,  17/38,  H04M  1/02］
【特許文献２】特開２００１−２３８１１９号公報［H04N  5/232,  H04B  7/26,  H04Q  7/38,  H04M  1/663,  11/00］
【発明の概要】
【発明が解決しようとする課題】
【０００５】
しかしながら、特許文献１の背景技術では、ユーザは常時２台のカメラ付き携帯電話機を携行する必要がある。リモコン用に他人からカメラ付き携帯電話機を借りてもよいが、その場合には、カメラを貸す側にプライバシー侵害に関する危惧を抱かせる結果となる。
【０００６】
一方、特許文献２の背景技術は、ＰＣおよび電話回線を利用するので、監視カメラ的な用途に限られる。
【０００７】
それゆえに、この発明の主たる目的は、新規な、携帯端末を提供することである。
【０００８】
この発明の他の目的は、意図通りの自分撮りが気軽に行える、携帯端末を提供することである。
【課題を解決するための手段】
【０００９】
この発明は、上記の課題を解決するために、以下の構成を採用した。なお、括弧内の参照符号および補足説明等は、この発明の理解を助けるために後述する実施形態との対応関係を示したものであって、この発明を何ら限定するものではない。
【００１０】
第１の発明に従う携帯端末は、第１モードおよび第２モードを含む複数モードの間でモード切り替えを行うモード切替手段、第１モードおよび第２モードの各々で他の携帯端末との接続を確立する確立手段、第１モードで確立手段によって確立された接続を通じて動画像を受信する第１受信手段、第１モードで第１受信手段によって受信された動画像を表
示する表示手段、第１モードで静止画記録操作を受け付けたとき静止画撮影を確立手段によって確立された接続を通じて依頼する第１依頼手段、第１モードで第１依頼手段の依頼に応じて作成された静止画像を確立手段によって確立された接続を通じて受信する第２受信手段、第１モードで第２受信手段によって受信された静止画像を記録する記録手段、第２モードで動画撮影を実行する動画撮影手段、第２モードで動画撮影手段によって作成された動画像を確立手段によって確立された接続を通じて送信する第１送信手段、第２モードで確立手段によって確立された接続を通じて静止画撮影依頼を受けたとき静止画撮影を実行する静止画撮影手段、および第２モードで静止画撮影手段によって作成された静止画像を確立手段によって確立された接続を通じて送信する第２送信手段を備える。
【００１１】
第１の発明では、モード切替手段（Ｓ３〜Ｓ７）によって、第１モードおよび第２モードを含む複数モードの間でモード切り替えが行われる。第１モードおよび第２モードの各々では、他の携帯端末（１０）との接続が確立手段（Ｓ１５）によって確立される。
【００１２】
第１モードでは、第１受信手段（Ｓ５３）が確立手段によって確立された接続を通じて動画像を受信し、第１受信手段によって受信された動画像は表示手段（Ｓ５９）によって表示される。第１依頼手段（Ｓ６７）は、静止画記録操作を受け付けたとき静止画撮影を確立手段によって確立された接続を通じて依頼し、第２受信手段（Ｓ６９）は、第１依頼手段の依頼に応じて作成された静止画像を確立手段によって確立された接続を通じて受信する。第２受信手段によって受信された静止画像は、記録手段（Ｓ７１）によって記録される。
【００１３】
第２モードでは、動画撮影手段（Ｓ８７）が動画撮影を実行し、動画撮影手段によって作成された動画像は、確立手段によって確立された接続を通じて第１送信手段（Ｓ９１）によって送信される。確立手段によって確立された接続を通じて静止画撮影依頼を受けると、静止画撮影手段（Ｓ９９）が静止画撮影を実行し、第２送信手段（Ｓ１０１）は、静止画撮影手段によって作成された静止画像を確立手段によって確立された接続を通じて送信する。
【００１４】
第１の発明に従えば、携帯端末のユーザは、自分撮りを行うにあたって、自ら第１モードを選択する一方、他の携帯端末のユーザに第２モードの選択を依頼する。他の携帯端末で第２モードが選択されると、携帯端末および他の携帯端末の間で接続が確立される。他の携帯端末は、動画撮影を実行し、これにより作成された動画像を確立された接続を通じて送信する。携帯端末は、この動画像を受信し、受信された動画像を表示する。そして、静止画撮影は、携帯端末の静止画記録操作に応答して、他の携帯端末によって実行される。他の携帯端末で作成された静止画像は、近距離無線接続を通じて送信され、携帯端末によって記録される。
【００１５】
したがって、第１モードを選択した携帯端末のユーザ（委託者）は、この携帯端末に表示された動画像を参照しながら、第２モードを選択した他の携帯端末のユーザ（受託者）に構図の決定について指示を行い、そして所望のタイミングでシャッタ操作を行うことができる。こうして、意図通りの自分撮りが行える可能性が高まる。
【００１６】
また、モード切替を行うことで、携帯端末は、ある場面では他の携帯端末によって制御されるが、別の場面では他の携帯端末を制御できる。すなわち、他の携帯端末のユーザが委託者となり、携帯端末のユーザは受託者となることもできる。いずれの場合も、各ユーザは自分の携帯端末しか操作しないので、プライバシー侵害の危惧が減少する。
【００１７】
第２の発明に従う携帯端末は、第１の発明に従属し、第１モードでズーム操作を受け付けたときズーム倍率変更を確立手段によって確立された接続を通じて依頼する第２依頼手
段、および第２モードで確立手段によって確立された接続を通じてズーム倍率依頼を受けたとき動画撮影手段および静止画撮影手段の各々のズーム倍率を変更する第１変更手段をさらに備える。
【００１８】
第２の発明に従えば、第１モードでは、ズーム操作が行われると、第２依頼手段（Ｓ７９）がズーム倍率変更を確立手段によって確立された接続を通じて依頼する。第２モードでは、確立手段によって確立された接続を通じてズーム倍率依頼を受けたとき、第１変更手段（Ｓ１０３）が動画撮影手段および静止画撮影手段の各々のズーム倍率を変更する。
【００１９】
第２の発明によれば、動画撮影手段および静止画撮影手段の各々のズーム倍率は、委託者側のズーム操作に応答して、受託者側の携帯端末によって変更される。
【００２０】
第３の発明に従う携帯端末は、第１または第２の発明に従属し、第１モードで撮影パラメータ変更操作を受け付けたとき撮影パラメータ変更を確立手段によって確立された接続を通じて依頼する第３依頼手段、および第２モードで確立手段によって確立された接続を通じて撮影パラメータ変更依頼を受けたとき静止画撮影手段の撮影パラメータの値を変更する第２変更手段をさらに備える。
【００２１】
第３の発明に従えば、第１モードでは、撮影パラメータ変更操作が行われると、第３依頼手段（Ｓ１６１）が撮影パラメータ変更を確立手段によって確立された接続を通じて依頼する。第２モードでは、確立手段によって確立された接続を通じて撮影パラメータ変更依頼を受けたとき、第２変更手段（Ｓ１６７）が静止画撮影手段の撮影パラメータの値を変更する。
【００２２】
第３の発明によれば、静止画撮影手段の撮影パラメータは、委託者側の撮影パラメータ変更操作に応答して、受託者側の携帯端末によって変更される。
【００２３】
第４の発明に従う携帯端末は、第３の発明に従属し、第１モードで終了操作を受け付けたとき撮影パラメータ復元を確立手段によって確立された接続を通じて依頼する第４依頼手段、第２モードで第２変更手段の変更処理に先行して第２変更手段によって変更されるべき撮影パラメータの値を退避させる退避手段、および第２モードで確立手段によって確立された接続を通じて撮影パラメータ復元依頼を受けたとき第２変更手段によって変更された撮影パラメータの値を退避手段によって退避された値に復元する復元手段をさらに備える。
【００２４】
第４の発明に従えば、第１モードでは、終了操作が行われると、第４依頼手段（Ｓ８１）が撮影パラメータ復元を確立手段によって確立された接続を通じて依頼する。第２モードでは、第２変更手段の変更処理に先行して、退避手段（Ｓ１６５）が第２変更手段によって変更されるべき撮影パラメータの値を退避させる。確立手段によって確立された接続を通じて撮影パラメータ復元依頼を受けると、復元手段（Ｓ１６９）は、第２変更手段によって変更された撮影パラメータの値を退避手段によって退避された値に復元する。
【００２５】
第４の発明によれば、委託者側の終了操作に応答して変更された撮影パラメータは、委託者側の終了操作に応答して、受託者側の携帯端末によって復元される。
【００２６】
第５の発明に従う携帯端末は、第３または第４の発明に従属し、撮影パラメータは画像サイズを含む。
【００２７】
第６の発明に従う携帯端末は、第３ないし第５のいずれかの発明に従属し、撮影パラメータはフラッシュのオン／オフを含む。
【００２８】
第７の発明に従う携帯端末は、第１の発明に従属し、第１モードで静止画記録操作の受け付けを許容する一方、第２モードで静止画記録操作の受け付けを禁止する受付制御手段（Ｓ２５，Ｓ２７）をさらに備える。
【００２９】
第７の発明によれば、静止画記録操作は、委託者側によるものだけが許容され、受託者側によるものは禁止されるので、受託者側によって密かに録画が行われる危惧がなくなる。
【００３０】
第８の発明に従う携帯端末は、第１ないし第７のいずれかの発明に従属し、第１モードで第１受信手段によって受信された動画像の動きを検出する検出手段、第１モードで検出手段の検出結果に基づいて撮影パラメータ制御を確立手段によって確立された接続を通じて依頼する第５依頼手段、および第２モードで確立手段によって確立された接続を通じて撮影パラメータ制御依頼を受けたとき動画撮影手段の撮影パラメータを制御する制御手段をさらに備える。
【００３１】
第８の発明に従えば、第１モードでは、検出手段（Ｓ５５）が第１受信手段によって受信された動画像の動きを検出し、第５依頼手段（Ｓ５７）は検出手段の検出結果に基づいて撮影パラメータ制御を確立手段によって確立された接続を通じて依頼する。第２モードでは、確立手段によって確立された接続を通じて撮影パラメータ制御依頼を受けると、制御手段（Ｓ８５）が動画撮影手段の撮影パラメータを制御する。
【００３２】
第８の発明によれば、受託者側で撮影された動画像の動きが受託者側で検出され、動画撮影手段の撮影パラメータは検出された動きに基づいて制御される。
【００３３】
第９の発明に従う携帯端末は、第８の発明に従属し、第５依頼手段は検出手段の検出結果が第１閾値（Ｔｈ１）を下回ったときフレームレートを減少させるように依頼し（Ｓ１２７）、制御手段はフレームレート減少依頼を受けたとき動画撮影手段の撮影パラメータの１つであるフレームレートを減少させる（Ｓ１４７）。
【００３４】
第９の発明では、動画像の動きが小さいとき、動画像のフレームレートが減少される。
【００３５】
第１０の発明に従う携帯端末は、第９の発明に従属し、第５依頼手段は検出手段の検出結果が第１閾値よりも大きい第２閾値（Ｔｈ２）を上回ったとき画像サイズを縮小させるように依頼し（Ｓ１２９）、制御手段は画像サイズ縮小依頼を受けたとき動画撮影手段の撮影パラメータの１つである画像サイズを縮小させる（Ｓ１４１）。
【００３６】
第１０の発明では、動画像の動きが大きいとき、動画像の画像サイズが縮小される。
【００３７】
第９，第１０の発明によれば、動画像の情報量が抑制され、ひいては消費電力が削減される。
【００３８】
第１１の発明に従う制御プログラムは、携帯端末（１０）のプロセサ（２２）に、第１モードおよび第２モードを含む複数モードの間でモード切り替えを行うモード切替ステップ（Ｓ３〜Ｓ７）、第１モードおよび第２モードの各々で他の携帯端末（１０）との接続を確立する確立ステップ（Ｓ１５）、第１モードで確立ステップによって確立された接続を通じて動画像を受信する第１受信ステップ（Ｓ５３）、第１モードで第１受信ステップによって受信された動画像を表示する表示ステップ（Ｓ５９）、第１モードで静止画記録操作を受け付けたとき静止画撮影を確立ステップによって確立された接続を通じて依頼する第１依頼ステップ（Ｓ６７）、第１モードで第１依頼ステップの依頼に応じて作成され
た静止画像を確立ステップによって確立された接続を通じて受信する第２受信ステップ（Ｓ６９）、第１モードで第２受信ステップによって受信された静止画像を記録する記録ステップ（Ｓ７１）、第２モードで動画撮影を実行する動画撮影ステップ（Ｓ８７）、第２モードで動画撮影ステップによって作成された動画像を確立ステップによって確立された接続を通じて送信する第１送信ステップ（Ｓ９１）、第２モードで確立ステップによって確立された接続を通じて静止画撮影依頼を受けたとき静止画撮影を実行する静止画撮影ステップ（Ｓ９９）、および第２モードで静止画撮影ステップによって作成された静止画像を確立ステップによって確立された接続を通じて送信する第２送信ステップ（Ｓ１０１）を実行させる。
【００３９】
第１２の発明に従う制御方法は、携帯端末（１０）の制御方法であって、第１モードおよび第２モードを含む複数モードの間でモード切り替えを行うモード切替ステップ（Ｓ３〜Ｓ７）、第１モードおよび第２モードの各々で他の携帯端末（１０）との接続を確立する確立ステップ（Ｓ１５）、第１モードで確立ステップによって確立された接続を通じて動画像を受信する第１受信ステップ（Ｓ５３）、第１モードで第１受信ステップによって受信された動画像を表示する表示ステップ（Ｓ５９）、第１モードで静止画記録操作を受け付けたとき静止画撮影を確立ステップによって確立された接続を通じて依頼する第１依頼ステップ（Ｓ６７）、第１モードで第１依頼ステップの依頼に応じて作成された静止画像を確立ステップによって確立された接続を通じて受信する第２受信ステップ（Ｓ６９）、第１モードで第２受信ステップによって受信された静止画像を記録する記録ステップ（Ｓ７１）、第２モードで動画撮影を実行する動画撮影ステップ（Ｓ８７）、第２モードで動画撮影ステップによって作成された動画像を確立ステップによって確立された接続を通じて送信する第１送信ステップ（Ｓ９１）、第２モードで確立ステップによって確立された接続を通じて静止画撮影依頼を受けたとき静止画撮影を実行する静止画撮影ステップ（Ｓ９９）、および第２モードで静止画撮影ステップによって作成された静止画像を確立ステップによって確立された接続を通じて送信する第２送信ステップ（Ｓ１０１）を備える。
【００４０】
第１３の発明に従う撮影方法は、第１携帯端末（１０Ａ）および第２携帯端末（１０Ｂ）による撮影方法であって、(a)第１携帯端末および第２携帯端末の間で接続を確立し（
Ｓ１５）、(b)第２携帯端末が動画撮影を実行し（Ｓ８７）、(c)第２携帯端末が(b)ステ
ップによって作成された動画像を(a)ステップによって確立された接続を通じて送信し（
Ｓ９１）、(d)第１携帯端末が(a)ステップによって確立された接続を通じて動画像を受信し（Ｓ５３）、(e)第１携帯端末が(d)ステップによって受信された動画像を表示し（Ｓ５９）、(f)第１携帯端末が静止画記録操作を受け付けたとき静止画撮影を(a)ステップによって確立された接続を通じて依頼し（Ｓ６７）、(g)第２携帯端末が(a)ステップによって確立された接続を通じて静止画撮影依頼を受けたとき静止画撮影を実行し（Ｓ９９）、(h)第２携帯端末が(g)ステップによって作成された静止画像を(a)ステップによって確立さ
れた接続を通じて送信し（Ｓ１０１）、(i)第１携帯端末が(h)ステップによって送信された静止画像を受信し（Ｓ６９）、そして(j)第１携帯端末が(i)ステップによって受信された静止画像を記録する（Ｓ７１）。
【００４１】
第１１〜第１３の各発明でも、第１の発明と同様、意図通りの自分撮りを行える可能性が高まると共に、プライバシー侵害の危惧が減少する。
【００４２】
第１４の発明に従う携帯端末は、他の携帯端末との接続を確立する確立手段、確立手段によって確立された接続を通じて動画像を受信する第１受信手段、第１受信手段によって受信された動画像を表示する表示手段、静止画記録操作を受け付けたとき静止画撮影を確立手段によって確立された接続を通じて依頼する第１依頼手段、第１依頼手段の依頼に応じて作成された静止画像を確立手段によって確立された接続を通じて受信する第２受信手
段、および第２受信手段によって受信された静止画像を記録する記録手段を備える。
【００４３】
第１４の発明では、他の携帯端末（１０）との接続が確立手段（Ｓ１５）によって確立される。第１受信手段（Ｓ５３）が確立手段によって確立された接続を通じて動画像を受信し、第１受信手段によって受信された動画像は表示手段（Ｓ５９）によって表示される。第１依頼手段（Ｓ６７）は、静止画記録操作を受け付けたとき静止画撮影を確立手段によって確立された接続を通じて依頼し、第２受信手段（Ｓ６９）は、第１依頼手段の依頼に応じて作成された静止画像を確立手段によって確立された接続を通じて受信する。第２受信手段によって受信された静止画像は、記録手段（Ｓ７１）によって記録される。
【００４４】
第１４の発明に従えば、携帯端末および他の携帯端末の間で接続が確立される。他の携帯端末は、動画撮影を実行し、これにより作成された動画像を確立された接続を通じて送信する。携帯端末は、この動画像を受信し、受信された動画像を表示する。そして、静止画撮影は、携帯端末の静止画記録操作に応答して、他の携帯端末によって実行される。他の携帯端末で作成された静止画像は、近距離無線接続を通じて送信され、携帯端末によって記録される。
【００４５】
したがって、携帯端末のユーザ（委託者）は、この携帯端末に表示された動画像を参照しながら、他の携帯端末のユーザ（受託者）に構図の決定について指示を行い、そして所望のタイミングでシャッタ操作を行うことができる。こうして、意図通りの自分撮りが行える可能性が高まる。また、各ユーザは自分の携帯端末しか操作しないので、プライバシー侵害の危惧が減少する。
【発明の効果】
【００４６】
この発明によれば、意図通りの自分撮りを気軽に行うことができる。
この発明の上述の目的，その他の目的，特徴および利点は、図面を参照して行う以下の実施例の詳細な説明から一層明らかとなろう。
【図面の簡単な説明】
【００４７】
【図１】この発明の一実施例の構成を示すブロック図である。
【図２】図１実施例による撮影方法を示す図解図である。
【図３】図１実施例に適用される通信処理を示すシーケンス図である。
【図４】（Ａ）は図１実施例に適用される３モード間の関係を処理について示す図解図であり、（Ｂ）は図１実施例に適用される３モード間の関係を操作について示す図解図である。
【図５】図１実施例に適用される不揮発メモリのメモリマップの一部を示すフロー図である。
【図６】図１実施例に適用されるＣＰＵの動作の一部を示すフロー図である。
【図７】図１実施例に適用されるＣＰＵの動作の他の一部を示すフロー図である。
【図８】図１実施例に適用されるＣＰＵの動作のその他の一部を示すフロー図である。
【図９】図１実施例に適用されるＣＰＵの動作のさらにその他の一部を示すフロー図である。
【図１０】図１実施例に適用されるＣＰＵの動作の他の一部を示すフロー図である。
【図１１】図１実施例に適用されるＣＰＵの動作のその他の一部を示すフロー図である。
【図１２】図１実施例に適用されるＣＰＵの動作のさらにその他の一部を示すフロー図である。
【図１３】図１実施例に適用されるＣＰＵの動作の他の一部を示すフロー図である。
【発明を実施するための形態】
【００４８】
図１を参照して、この実施例の携帯端末１０は、電話処理回路１４を含む。キー入力装置２０によって発呼操作が行われると、ＣＰＵ２２は、電話処理回路１４を制御して発呼信号を出力する。出力された発呼信号は、アンテナ１２から放出され、図示しない移動通信網を経て通話相手の電話機に送信される。通話相手が着呼操作を行うと、通話可能状態が確立される。通話可能状態に移行した後にキー入力装置２０によって通話終了操作が行われると、ＣＰＵ２２は、電話処理回路１４を制御して通話相手に通話終了信号を送信し、通話処理を終了する。通話相手からの発呼信号がアンテナ１２によって捉えられると、電話処理回路１４は着信をＣＰＵ２２に通知し、ＣＰＵ２２はスピーカ１８から着信音を出力する。キー入力装置２０によって着呼操作が行われると、通話可能状態が確立される。
【００４９】
通話可能状態では、次のような処理が実行される。通話相手から送られてきた変調音声信号は、アンテナ１２によって捉えられ、捉えられた変調音声信号は、無線通信回路１４によって復調処理を施される。これによって得られた受話音声信号は、スピーカ１８から出力される。マイクロフォン１６によって取り込まれた送話音声信号は、電話処理回路１４によって変調処理を施され、これによって生成された変調音声信号は、アンテナ１２を通して通話相手に送信される。
【００５０】
携帯端末１０は、イメージセンサ３２をさらに含む。ズームレンズ３０ａおよびフォーカスレンズ３０ｂを経た被写界の光学像は、イメージセンサ３２に照射される。イメージセンサ３２では、光電変換によって、被写界の光学像に対応する電荷つまり生画像信号が生成される。
【００５１】
キー入力装置２０によってカメラモード（ノーマル撮影モード：後述）が選択されると、被写体のリアルタイム動画像つまりスルー画像をＬＣＤモニタ３８に表示するべく、ＣＰＵ２２は、プリ露光および間引き読み出しの繰り返しをイメージセンサ３２に命令する。イメージセンサ３２は、プリ露光とこれによって生成された生画像信号の間引き読み出しとを繰り返し実行する。イメージセンサ３２からは、被写体の光学像に対応する低解像度（たとえば３２０×２４０）の生画像信号が、所定のフレームレート（たとえば３０ｆｐｓ）で出力される。
【００５２】
出力された生画像信号は、カメラ処理回路３４によってＡ／Ｄ変換，色分離，ＹＵＶ変換などの処理を施される。これにより生成されたＹＵＶ形式の画像データは、メモリ制御回路２６によってＳＤＲＡＭ２８に書き込まれ、その後同じメモリ制御回路２６によって読み出される。ＬＣＤドライバ３６は、読み出された画像データに従ってＬＣＤモニタ３８を駆動し、この結果、被写体のスルー画像がモニタ画面に表示される。
【００５３】
この後、キー入力装置２０によってシャッタ操作が行われると、ＣＰＵ２２は、本撮影処理を実行するべく、本露光とこれにより生成された全電荷の読み出しとをイメージセンサ３２に命令する。イメージセンサ３２からは、全電荷つまり最高解像度（たとえば１６００×１２００）の生画像信号が出力される。出力された生画像信号は、カメラ処理回路３４によってＹＵＶ形式の生画像データに変換される。変換された生画像データは、メモリ制御回路２６を通してＳＤＲＡＭ２８に書き込まれる。ＣＰＵ２２はその後、ＳＤＲＡＭ２８に格納された画像データの記録処理をＩ／Ｆ４４に命令する。Ｉ／Ｆ４４は、メモリ制御回路２６を通してＳＤＲＡＭ２８から画像データを読み出し、読み出された画像データを含む画像ファイルをメモリカード４６に記録する。
【００５４】
スルー画像が表示されている状態でキー入力装置２０によるズーム操作が行われると、ＣＰＵ２２は、ズーム倍率の変更をズーム回路４８に命令し、ズーム回路４８は、ズーム
レンズ３０ａを光軸方向に移動させる。イメージセンサ３２に照射される光学像の大きさは、ズームレンズ３０ａの移動に応じて変化する。この結果、モニタ画面に表示されたスルー画像の画角が変化する。こうして、シャッタ操作に先立ってズーム操作を行うことで、被写界像を所望の画角で記録することができる。
【００５５】
なお、携帯端末１０にはフラッシュ５０が設けられており、キー入力装置２０によってフラッシュ機能を事前にオンしておけば、撮影時にフラッシュ５０が点灯される。
【００５６】
また、携帯端末１０では、記録用の画像サイズとして、最大サイズである“１６００×１２００”に加え、“１０２４×７６８”および“６４０×４８０”の２つのサイズが準備されている。カメラ処理回路３４には図示しない画素数変換回路が設けられており、キー入力装置２０によって最大サイズとは異なるサイズが選択された場合、カメラ処理回路３４は記録用の画像データに最大サイズから選択サイズへのサイズ変換処理を施す。たとえば“６４０×４８０”が選択された場合、“１６００×１２００”から“６４０×４８０”へのサイズ変換処理が実行され、この結果、被写界像は“６４０×４８０”のサイズで記録される。
【００５７】
また、携帯端末１０には、Ｂｌｕｅｔｏｏｔｈ（登録商標）方式に従う近距離無線回路４２が設けられており、近距離無線回路４２は、アンテナ４０を通じ、同じくＢｌｕｅｔｏｏｔｈ（登録商標）方式に対応した他の機器との間で近距離無線通信を行う。たとえば、メモリカード４６に記録された画像ファイルを他の携帯端末に送信したり、他の携帯端末から画像ファイルを受信してメモリカード４６に記録したりすることができる。
【００５８】
ところで、携帯端末１０には、カメラモードの下位モードとして、上述したノーマル撮影モードのほかに、“委託者撮影モード”および“受託者撮影モード”の２つの撮影モードが準備されている。委託者撮影モードおよび受託者撮影モードは、携帯端末１０を他の携帯端末１０とＢｌｕｅｔｏｏｔｈ（登録商標）で接続し、両者が協働してイメージセンサ３２による撮影およびメモリカード４６への記録を含む一連のカメラ処理を実行するためのモードである。このため、一方の携帯端末１０が委託者撮影モードで動作するとき、他方の携帯端末１０は受託者撮影モードで動作する。
【００５９】
以下では、図２に示すように、委託者によって操作され、委託者撮影モードで動作する携帯端末１０を“端末１０Ａ”と呼び、受託者によって操作され、受託者撮影モードで動作する携帯端末１０を“端末１０Ｂ”と呼ぶ。委託者は、受託者の協力を得て、委託者自身を撮影する“自分撮り”を行う。
【００６０】
具体的には、委託者は、端末１０Ａを操作して委託者撮影モードを選択し、パスワードを設定する。そして、パスワードを受託者に伝え、受託者撮影モードの選択を依頼する。受託者は、端末１０Ｂを操作して受託者撮影モードを選択し、パスワードを入力する。この後、２台の端末１０Ａおよび１０Ｂの間では、図３のような一連の通信処理が実行される。
【００６１】
図３を参照して、端末１０Ａで委託者撮影モードが起動され、かつ端末１０Ｂで受託者撮影モードが起動されると、端末１０Ａおよび１０Ｂの間でＢｌｕｅｔｏｏｔｈ（登録商標）による接続設定（ペアリング）が行われる。接続が確立すると、パスワードによる認証処理が行われる。すなわち、端末１０Ａは、端末１０Ｂにパスワードを要求し、端末１０Ｂは端末１０Ａにパスワードを応答する。端末１０Ａは、自身に設定されたパスワードと端末１０Ｂから受信したパスワードとが一致するか否かを判別し、判別結果が一致を示せば接続を維持する一方、判別結果が不一致を示せば接続を解消する。
【００６２】
認証が成立すると、端末１０Ｂは、スルー撮影およびこれにより得られたスルー画像の端末１０Ａへの送信を開始する。この結果、端末１０Ｂで撮影されたスルー画像は、端末１０Ｂ自身のモニタ画面に表示されると同時に、端末１０Ａのモニタ画面にも表示される。この状態で、端末１０Ａは、シャッタ操作，ズーム操作，および特定の撮影パラメータ（たとえば記録用の画像サイズ，フラッシュのオン／オフなど）を変更するパラメータ変更操作を受け付けることができる。一方、端末１０Ｂでは、キー入力装置２０が無効化され、シャッタ操作を含む全ての操作が行えなくなる。
【００６３】
端末１０Ａでズーム操作が検出されると、端末１０Ａは端末１０Ｂにズーム依頼を行い、端末１０Ｂはズーム処理を実行する。この結果、各モニタ画面に表示されたスルー画像の画角が変化する。端末１０Ａでパラメータ変更操作が検出されると、端末１０Ａは端末１０Ｂにパラメータ変更依頼を行い、端末１０Ｂは自身に設定されている撮影パラメータの値を変更する。
【００６４】
端末１０Ａでシャッタ操作が検出されると、端末１０Ａは端末１０Ｂに本撮影依頼を行う。端末１０Ｂは、本撮影処理を実行し、これにより得られた本画像を端末１０Ａに送信する。端末１０Ａは、本画像を受信および記録し、その後、記録画像を保存するか否かの確認を行う。ＯＫ操作が行われると、端末１０Ａは端末１０Ｂに撮影パラメータの復元を依頼し、端末１０Ｂは撮影パラメータを変更前の値に復元する。その後、端末１０Ａおよび１０Ｂの間の接続が解消される。確認に応じてキャンセル操作が行われた場合には、再度の本撮影を行うべく、接続は維持される。
【００６５】
したがって、ノーマル撮影，委託者撮影および受託者撮影の３モード間の関係は、図４（Ａ）および図４（Ｂ）のようになる。図４（Ａ）を参照して、委託者撮影モードでは、ノーマル撮影モードで行われる撮影および記録の２つの処理のうち記録処理だけが行われる一方、受託者撮影モードでは２つの処理のうち撮影処理だけが行われる。図４（Ｂ）を参照して、委託者撮影モードでは、ノーマル撮影モードで受け付けられるシャッタ，ズームおよびパラメータ変更の全ての操作が受け付けられるのに対し、受託者撮影モードではどの操作も受け付けられない。
【００６６】
携帯端末１０では、ＣＰＵ２２が図６〜図１２に示すカメラタスクおよび図１３に示すパラメータ変更タスクを並列的に実行することによって、上述のようなカメラ機能が実現される。なお、カメラタスクは、キー入力装置２０によってカメラモードが選択されたとき起動され、パラメータ変更タスクはその後、カメラタスクによって起動される。また、これらのフロー図に対応する制御プログラムは、不揮発メモリ２４に記憶される。不揮発メモリ２４のメモリマップの一部を図５に示す。
【００６７】
図５を参照して、不揮発メモリ２４は、プログラム領域２４ａ，変数領域２４ｂ，撮影パラメータ領域２４ｃおよび退避領域２４ｄなどを含む。制御プログラムはプログラム領域２４ａに記憶され、変数領域２４ｂには変数ＦおよびＧが記憶される。変数Ｆは、撮影モードを示す変数であり、“０”，“１”および“２”の間で変化する。変数Ｇは、画像の動きの大きさを示す変数であり、“０”，“１”および“２”の間で変化する。
【００６８】
撮影パラメータ領域２４ｃには、記録用の画像サイズ，ズーム倍率，フラッシュのオン／オフ，スルー表示用の画像サイズおよびフレームレートといった各種の撮影パラメータが記憶される。それぞれの初期値は、“１６００×１２００”，“１倍”，“オフ”，“３２０×２４０”および“３０ｆｐｓ”である。退避領域２４ｄは、ある時点での撮影パラメータの値を退避させるための領域である。
【００６９】
図６を参照して、カメラタスクでは、まずステップＳ１で、撮影モード選択操作が行わ
れたか否かを判別し、ここでＹＥＳであれば、どの撮影モードが選択されかをステップＳ３〜Ｓ７で判別する。キー入力装置２０によってノーマル撮影モードが選択されると、ステップＳ３でＹＥＳと判別し、ステップＳ９に移って変数Ｆに“０”をセットする。セット後、ステップＳ２３に進む。
【００７０】
委託者撮影モードが選択されると、ステップＳ５からステップＳ１１に移って変数Ｆに“１”をセットし、受託者撮影モードが選択されると、ステップＳ７からステップＳ１３に移って変数Ｆに“２”をセットする。セット後、ステップ１５に移る。ステップＳ１５では、近距離無線回路４２を制御して、他の携帯端末１０との間でＢｌｕｅｔｏｏｔｈ（登録商標）接続を確立する。
【００７１】
接続確立後、ステップＳ１７に移って認証処理（前述）を実行し、認証が成立したか否かをステップＳ１９で判別する。ここでＮＯであれば、ステップＳ２１でＢｌｕｅｔｏｏｔｈ（登録商標）接続を解消した後、ステップＳ１に戻る。ステップＳ１９でＹＥＳであれば、ステップＳ２３に移る。
【００７２】
ステップＳ２３では、パラメータ変更タスクを起動し、その後ステップＳ２５に進む。図７を参照して、ステップＳ２５では、変数Ｆの値が“１”であるか否かを判別し、ここでＹＥＳであれば、ステップＳ５３〜Ｓ８３の処理（図８参照：後述）を実行する。ステップＳ２５でＮＯであれば、ステップＳ２７で変数Ｆの値が“２”であるか否かを判別し、ここでＹＥＳであれば、ステップＳ８５〜Ｓ１０５の処理（図９参照：後述）を実行する。ステップＳ２７でＮＯであれば、Ｆ＝０であると見なしてステップＳ２９〜Ｓ５１の処理を実行する。ステップＳ２９〜Ｓ５１の処理は、ノーマル撮影モードに相当する。
【００７３】
ステップＳ２９ではスルー撮影を実行し、ステップＳ３１ではスルー画像を表示する。そしてステップＳ３３，Ｓ３５およびＳ３７で、シャッタ操作，ズーム操作および終了操作の有無をそれぞれ判別する。ステップＳ３３，Ｓ３５およびＳ３７の各々でＮＯであれば、ステップＳ２９に戻る。これらステップＳ２９〜Ｓ３７のループ処理は、不揮発メモリ２４の撮影パラメータ領域２４ｃ（図５参照）に記憶されたフレームレートに対応する周期で実行される。したがって、フレームレートが３０ｆｐｓであれば、実行周期は１／３０秒となる。ステップＳ２９〜Ｓ３７のループ処理が実行されている間、スルー画像は１／３０秒毎に更新され、各操作は任意のタイミングで受け付けられる。
【００７４】
シャッタ操作が行われると、ステップＳ３３からステップＳ３９に移って本撮影処理を実行し、次のステップＳ４１で本画像をメモリカード４６に記録する（記録処理：前述）。そしてステップＳ４３で、記録画像および確認メッセージを表示する。
【００７５】
具体的には、Ｉ／Ｆ４４を通じてメモリカード４６から記録画像を読み出し、ＬＣＤモニタ３８の画面サイズに適合させるべく、読み出された記録画像にサイズ変換処理（前述）を施す。また、“この画像を保存しますか？”といった確認メッセージを生成して、サイズ変換された記録画像および生成された確認メッセージをＬＣＤドライバ３６に与える。ＬＣＤドライバ３６は、与えられた画像およびメッセージをＬＣＤモニタ３８に表示する。
【００７６】
次のステップＳ４５では、記録画像を保存するか否かを判断する。具体的には、たとえば、キー入力装置２０を通じてＯＫ操作またはキャンセル操作を受け付け、ＯＫ操作が行われればＹＥＳと判断する一方、キャンセル操作が行われればＮＯと判断する。ここでＹＥＳであれば直ちにステップＳ２９に戻り、ＮＯであればステップＳ４７で記録画像をメモリカード４６から削除した後ステップＳ２９に戻る。
【００７７】
ズーム操作が行われると、ステップＳ３５からステップＳ４９に移ってズーム処理（前述）を実行し、その後ステップＳ２９に戻る。
【００７８】
終了操作が行われると、ステップＳ３７でＹＥＳと判別し、ステップＳ５１に移って終了処理（図１０参照：後述）を実行する。そして、このタスクを終了する。
【００７９】
図８に示されたステップＳ５３〜Ｓ８３の処理は、委託者撮影モードつまり端末１０Ａの動作に相当する。図８を参照して、ステップＳ５３では、近距離無線回路４２を通じてスルー画像を受信する。ここで受信されるスルー画像は、受託者撮影モードで動作する他の携帯端末１０（端末１０Ｂ）によって送信されたものであり、メモリ制御回路２６を通じてＳＤＲＡＭ２８に書き込まれる。
【００８０】
ステップＳ５５では、スルー画像の動きを検出する。具体的には、たとえば、前回受信されたスルー画像と今回受信されたスルー画像との間で特徴点の位置変化を示す動きベクトルを求め、その大きさを算出する。ステップＳ５７では、スルー制御依頼を行う。具体的には、ステップＳ５５で検出された動きの大きさに応じて変数Ｇの値を変化させる（図１１参照：後述）  ステップＳ５９では、ステップＳ５３で受信されたスルー画像を表示する。具体的には、メモリ制御回路２６を通じてＳＤＲＡＭ２８からスルー画像を読み出し、これをＬＣＤドライバ３６を介してＬＣＤモニタ３８に表示する。そしてステップＳ６１，Ｓ６３およびＳ６５で、シャッタ操作，ズーム操作および終了操作の有無をそれぞれ判別する。
【００８１】
ステップＳ６１，Ｓ６３およびＳ６５の各々でＮＯであれば、ステップＳ５３に戻る。これらステップＳ５３〜Ｓ６５のループ処理は、撮影パラメータ領域２４ｃに記憶されたフレームレートに対応する周期で実行される。フレームレートが３０ｆｐｓであれば、スルー画像は１／３０秒毎に更新され、こうしてスルー画像が表示されている間、各操作はキー入力装置２０を通じて任意のタイミングで受け付けられる。
【００８２】
シャッタ操作が行われると、ステップＳ６１からステップＳ６７に移って、端末１０Ｂに近距離無線回路４２を通じて本撮影依頼を送信する。ステップＳ６９では、端末１０Ｂから近距離無線回路４２を通じて本画像を受信する。受信された本画像は、メモリ制御回路２６によってＳＤＲＡＭ２８に書き込まれた後、ステップＳ４１でＩ／Ｆ４４を介してメモリカード４６に記録される。そしてステップＳ７３で、記録画像および確認メッセージを表示する。具体的な表示方法は、先述のステップＳ４３と同様である。
【００８３】
次のステップＳ７５では、記録画像を保存するか否かを判断する。具体的な判断方法は、先述のステップＳ４５と同様である。ここでＹＥＳであれば直ちにステップＳ５３に戻り、ＮＯであればステップＳ７７で記録画像をメモリカード４６から削除した後ステップＳ５３に戻る。
【００８４】
ズーム操作が行われると、ステップＳ６３からステップＳ７９に移ってズーム処理を実行し、その後ステップＳ５３に戻る。
【００８５】
終了操作が行われると、ステップＳ６５でＹＥＳと判別し、ステップＳ８１に移って、パラメータ復元依頼を近距離無線回路４２を通じて端末１０Ｂに送信する。そして、ステップＳ８３で終了処理（図１０参照）を実行した後、このタスクを終了する。
【００８６】
図９に示されたステップＳ８５〜Ｓ１０５の処理は、受託者撮影モードつまり端末１０Ｂの動作に相当する。図９を参照して、ステップＳ８５では、スルー制御を行う。具体的には、撮影パラメータ領域２４ｃ（図５参照）に記憶された撮影パラメータのうち“スル
ー画像サイズ”および“フレームレート”の各設定値を、変数Ｇの値に応じて変化させる（図１２参照：後述）。
【００８７】
ステップＳ８７では、スルー撮影を実行する。これにより作成されたスルー画像は、メモリ制御回路２６を通じてＳＤＲＡＭ２８に書き込まれる。ＳＤＲＡＭ２８に格納されたスルー画像は、ステップＳ８９でＬＣＤドライバ３６を介してＬＣＤモニタ３８に表示され、さらにステップＳ９１で近距離無線回路４２を通じて端末１０Ａに送信される。
【００８８】
そしてステップＳ９３，Ｓ９５およびＳ９７で、本撮影依頼，ズーム依頼および終了依頼の有無をそれぞれ判別する。ステップＳ９３，Ｓ９５およびＳ９７の各々でＮＯであれば、ステップＳ８５に戻る。これらステップＳ８５〜Ｓ９７のループ処理は、撮影パラメータ領域２４ｃに記憶されたフレームレートに対応する周期で実行される。フレームレートが３０ｆｐｓであれば、スルー画像は１／３０秒毎に更新され、こうしてスルー画像が表示されている間、各依頼は近距離無線通回路４２を通じて任意のタイミングで受け付けられる。
【００８９】
本撮影依頼が受け付けられると、ステップＳ９３からステップＳ９９に移って本撮影処理を実行する。これにより作成された本画像は、メモリ制御回路２６を通じてＳＤＲＡＭ２８に書き込まれる。ＳＤＲＡＭ２８に格納された本画像は、ステップＳ１０１で近距離無線通回路４２を通じて端末１０Ａに送信される。送信後、ステップＳ８５に戻る。
【００９０】
ズーム依頼が受け付けられると、ステップＳ９５からステップＳ１０３に移って、ズーム回路４８によるズーム処理を実行し、その後ステップＳ８５に戻る。
【００９１】
終了依頼が受け付けられると、ステップＳ９７からステップＳ１０５に移って終了処理（図１０参照）を実行し、その後このタスクを終了する。
【００９２】
上記ステップＳ５１，Ｓ８３およびＳ１０５の各終了処理は、図１０のサブルーチンに従って実行される。図１０を参照して、ステップＳ１１１では、変数Ｆが“０”であるか否かを判別する。ここでＮＯであれば、ステップＳ１１３でＢｌｕｅｔｏｏｔｈ（登録商標）接続を解消した後、ステップＳ１１５に移る。ステップＳ１１１でＹＥＳであれば、直ちにステップＳ１１５に移る。ステップＳ１１５では、パラメータ変更タスクを終了する。その後、上位層のルーチンに復帰する。
【００９３】
上記ステップＳ５７のスルー制御依頼処理は、図１１のサブルーチンに従って実行される。図１１を参照して、ステップＳ１２１では、検出された動きの大きさが閾値Ｔｈ１を下回るか否かを判別し、ここでＮＯであれば、ステップＳ１２３で動きの大きさが閾値Ｔｈ２（但しＴｈ１＜Ｔｈ２）を上回るか否かをさらに判別する。ここでもＮＯであれば、ステップＳ１２５に移って変数Ｇに“０”をセットする。ステップＳ１２１でＹＥＳであれば、ステップＳ１２７で変数Ｇに“２”をセットし、ステップＳ１２３でＹＥＳであれば、ステップＳ１２９に移って変数Ｇに“１”をセットする。セット後、上位層のルーチンに復帰する。
【００９４】
上記ステップＳ８５のスルー制御処理は、図１２のサブルーチンに従って実行される。図１２を参照して、ステップＳ１３３では、変数Ｇが“１”であるか否かを判別し、ここでＮＯであれば、ステップＳ１３５で変数Ｇが“２”であるか否かをさらに判別する。ここでもＮＯであれば、ステップＳ１３７で“スルー画像サイズ”に標準サイズたとえば“３２０×２４０”をセットし、さらにステップＳ１３９で“フレームレート”に標準レートたとえば“３０ｆｐｓ”をセットする。そして、上位層のルーチンに復帰する。
【００９５】
ステップＳ１３３でＹＥＳであれば、ステップＳ１４１で“スルー画像サイズ”に縮小サイズたとえば“１６０×１２０”をセットする一方、ステップＳ１４３では“フレームレート”に標準レートをセットする。そして、上位層のルーチンに復帰する。
【００９６】
ステップＳ１３５でＹＥＳであれば、ステップＳ１４５で“スルー画像サイズ”に標準サイズをセットする一方、ステップＳ１４３では“フレームレート”に減少レートたとえば１５ｆｐｓをセットする。そして、上位層のルーチンに復帰する。
【００９７】
図１３を参照して、パラメータ変更タスクでは、まずステップＳ１５１で変数Ｆが“２”であるか否かを判別する。ここでＮＯであれば、ステップＳ１５７で変更操作の有無を判別し、ここでもＮＯであればステップＳ１５１に戻る。
【００９８】
一方、ステップＳ１５１でＹＥＳであれば、ステップＳ１５３でパラメータ変更依頼の有無を判別する。ここでＮＯであれば、ステップＳ１５５でパラメータ復元依頼の有無を判別し、ここでもＮＯであればステップＳ１５１に戻る。
【００９９】
したがって、Ｆ＝２の場合つまり受託者撮影モードでは、ステップＳ１５１〜Ｓ１５５のループ処理が実行され、キー入力装置２０を通じてパラメータ変更およびパラメータ復元の各操作が受け付けられる。Ｆ＝０またはＦ＝１の場合つまりノーマル撮影モードまたは受託者撮影モードでは、ステップＳ１５１およびＳ１５７のループ処理が実行され、キー入力装置２０を通じてパラメータ変更操作が受け付けられる。
【０１００】
ステップＳ１５７でＹＥＳと判別されると、ステップＳ１５９に移って変数Ｆが“１”であるか否かを判別する。ここでＹＥＳであれば、ステップＳ１６１で端末Ｂにパラメータの値を変更するよう近距離無線回路４２を通じて依頼し、その後ステップＳ１５１に戻る。ステップＳ１５９でＮＯであればステップＳ１６３で、キー入力装置２０を通じた操作に従ってパラメータの値を変更する。その後、ステップＳ１５１に戻る。
【０１０１】
ステップＳ１５３でＹＥＳであれば、ステップＳ１６５で待避処理を実行した後、ステップＳ１６７に移る。退避処理では、撮影パラメータ領域２４ｃに記憶されたパラメータのうちステップＳ１６７で変更されるべきパラメータの値が退避エリア２４ｄ（図５参照）に退避される。ステップＳ１６７では、近距離無線回路４２を通じた依頼に従ってパラメータの値を変更する。その後、ステップＳ１５１に戻る。
【０１０２】
ステップＳ１５５でＹＥＳであれば、ステップＳ１６９に移ってパラメータの値を復元する。この復元処理では、ステップＳ１６５の退避処理で退避エリア２４ｄに退避された値が参照される。その後、ステップＳ１７１で端末１０Ｂに終了依頼を送信し、ステップＳ１５１に戻る。
【０１０３】
以上から明らかなように、この実施例では、携帯端末１０は、委託者モードおよび受託者モードを含む複数モードの間でモード切り替えを行い（Ｓ３〜Ｓ７）、委託者モードおよび受託者モードの各々で他の携帯端末１０との近距離無線、すなわちＢｌｕｅｔｏｏｔｈ（登録商標） による接続を確立する（４２，Ｓ１５）。第１モード（委託者モード）
では、携帯端末１０（１０Ａ）は、確立された接続を通じて動画像（スルー画像）を受信し（Ｓ５３）、そして受信された動画像をＬＣＤモニタ３８に表示する（Ｓ５９）。第２モード（受託者モード）では、携帯端末１０（１０Ｂ）は、動画撮影を実行し（Ｓ８７）、これにより作成された動画像を確立された接続を通じて送信する（Ｓ９１）。
【０１０４】
したがって、委託者モードを選択した携帯端末１０のユーザは、この携帯端末１０に表示された動画像を参照しながら、受託者モードを選択した他の携帯端末１０ないしはその
ユーザに向けて、構図やシャッタ操作のタイミングについて指示を行うことができる。これによって、意図通りの自分撮りを行える可能性が高まる。
【０１０５】
また、モード切替によって、他の携帯端末１０のユーザが委託者となり、携帯端末１０のユーザは受託者となることもできる。いずれの場合も、各ユーザは自分の携帯端末１０しか操作しないので、プライバシー侵害の危惧が減少する。
【０１０６】
特に、第１モードでは、キー入力装置２０によって静止画記録操作（シャッタ操作）が受け付けられると、静止画撮影（本撮影）を確立された接続を通じて依頼し（Ｓ６７）、依頼に応じて作成された静止画像（本画像）を確立された接続を通じて受信し（Ｓ６９）、そして受信された静止画像をメモリカード４６に記録する（Ｓ７１）。第２モードでは、確立された接続を通じて静止画撮影依頼を受けると、静止画撮影を実行し（Ｓ９９）、これによって作成された静止画像を確立された接続を通じて送信する（Ｓ１０１）。
【０１０７】
このように、静止画撮影は、委託者側の携帯端末１０（１０Ａ）による静止画記録操作に応答して、受託者側の携帯端末１０（１０Ｂ）によって実行される。受託者側の携帯端末１０によって作成された静止画像は、近距離無線接続を通じて送信され、委託者側の携帯端末１０によって記録される。
【０１０８】
また、ズーム倍率は、委託者側の携帯端末１０によるズーム操作に応答して、受託者側の携帯端末１０によって変更される。“静止画像サイズ”や“フラッシュのオン／オフ”といった撮影パラメータは、委託者側の携帯端末１０による操作に応答して、受託者側の携帯端末１０によって変更され、後に復元される。
【０１０９】
また、キー入力装置２０による各操作は、第１モードでは許容される一方、第２モードでは禁止される（Ｓ２５，Ｓ２７）。これにより、２つの操作系統による処理の混乱が回避され、受託者側によって密かに録画が行われるといった危惧もなくなる。
【０１１０】
さらに、第１モードでは、受信された動画像の動きを検出し（Ｓ５５）、検出結果に基づく撮影パラメータ制御を確立された接続を通じて依頼する（Ｓ５７）。第２モードでは、確立された接続を通じて撮影パラメータ制御依頼を受けたとき、動画撮影用の撮影パラメータを制御する（Ｓ８５）。
【０１１１】
すなわち、受託者側で撮影された動画像の動きが受託者側で検出され、動画撮影用の撮影パラメータは、検出された動きに基づいて制御される。具体的には、動画像の動きが第１閾値Ｔｈ１より小さいときフレームレートを減少させ、動画像の動きが第２閾値Ｔｈ２（ただしＴｈ１＜Ｔｈ２）より大きいとき動画像サイズを縮小させる。これにより、動画像の情報量が抑制され、ひいては消費電力が削減される。
【０１１２】
なお、この実施例では、動き検出処理（Ｓ５５）は、委託者側で実行されたが、受託者側で実行されてもよい。この場合、図８に示す委託者側の一連の処理において、動き検出処理（Ｓ５５）および委託者側スルー制御処理（Ｓ５７，図１１）が不要となる一方、図１２に示す受託者側スルー制御処理では、ステップＳ１３３およびＳ１３５が図１１のステップＳ１２３およびＳ１２１によってそれぞれ置き換えられる。
【０１１３】
また、この実施例では、Ｂｌｕｅｔｏｏｔｈ（登録商標）を用いたが、無線ＬＡＮなど他の近距離無線方式を用いてもよい。さらには、近距離無線に限らず、有線も含む様々な接続方式を用いることができる。
【０１１４】
また、この実施例では、第２モード（委託者撮影モード）でキー入力装置２０による全
ての操作を禁止したが、一部の操作のみを禁止してもよい。少なくともシャッタ操作を禁止すれば、プライバシー侵害の危惧を減少させることができる。
【符号の説明】
【０１１５】
１０，１０Ａ，１０Ｂ  携帯端末
２０  キー入力装置
２２  ＣＰＵ
２４  不揮発メモリ
３２  イメージセンサ
３４  カメラ処理回路
３６  ＬＣＤドライバ
４２  近距離無線回路
４４  Ｉ／Ｆ
４８  ズーム回路
５０  フラッシュ  
【図１】
0005253600.tif 000002
【図２】
0005253600.tif 000003
【図３】
0005253600.tif 000004
【図４】
0005253600.tif 000005
【図５】
0005253600.tif 000006
【図６】
0005253600.tif 000007
【図７】
0005253600.tif 000008
【図８】
0005253600.tif 000009
【図９】
0005253600.tif 000010
【図１０】
0005253600.tif 000011
【図１１】
0005253600.tif 000012
【図１２】
0005253600.tif 000013
【図１３】
0005253600.tif 000014